(57)【要約】【課題】ユーザの所望するモニタの向きに簡素な構成で制御する。【解決手段】ＭＰＵ１１は、リモコン２を介してユーザからの操作入力を受け付けて、受け付けられた操作入力に基づいてディスプレイ３１の向きを、ディスプレイ３１の向きを調整する時刻である設定時刻と対応付けて設定すると共に、設定された向きに対応する設定角度情報を設定時刻情報と対応付けて条件記憶部１２１に記録する条件設定部１１１と、条件記憶部１２１に格納された設定時刻に到達したか否かを判定する時刻判定部１１２と、設定時刻に到達したと判定された場合に、条件記憶部１２１から設定時刻に対応する設定角度情報を読み出して、読み出された設定角度情報に対応する向きにディスプレイ３１を回動させるべく駆動モータ３３６を制御する制御実行部１１３と、を備えている。【選択図】図３
2008278281.tif 000002
【特許請求の範囲】
【請求項１】
少なくとも１の軸を中心として駆動モータを介して回動自在に構成されたモニタと通信可能に接続され、テレビジョン放送を受信して、受信した映像情報を外部から視認可能に前記モニタに出力する放送受信装置であって、
前記モニタの向きを示す情報である設定角度情報を、前記モニタの向きを調整する時刻である設定時刻情報と対応付けて格納する条件記憶手段と、
外部からの操作入力を受け付けて、受け付けられた操作入力に基づいて前記モニタの向きを前記設定時刻と対応付けて設定すると共に、設定された向きに対応する設定角度情報を前記設定時刻情報と対応付けて前記条件記憶手段に記録する条件設定手段と、
前記条件記憶手段に格納された設定時刻に到達したか否かを判定する時刻判定手段と、
前記時刻判定手段によって設定時刻に到達したと判定された場合に、前記条件記憶手段から前記設定時刻に対応する設定角度情報を読み出して、読み出された設定角度情報に対応する向きに前記モニタを回動させるべく前記駆動モータを制御する制御実行手段と、
を備えることを特徴とする放送受信装置。
【請求項２】
前記モニタは、予め設定された上下方向の軸を中心として回動可能に構成されたものであって、
前記設定角度情報は、予め設定された基準位置から前記上下方向の軸を中心として回動される角度であることを特徴とする請求項１に記載の放送受信装置。
【請求項３】
前記条件記憶手段は、前記設定角度情報を、前記モニタの向きを調整する曜日である設定曜日情報及び設定時刻と対応付けて格納し、
前記条件設定手段は、前記モニタの向きを前記設定曜日及び設定時刻と対応付けて設定すると共に、設定された向きに対応する設定角度情報を前記設定曜日情報及び設定時刻情報と対応付けて前記条件記憶手段に記録し、
前記時刻判定手段は、前記条件記憶手段に格納された設定曜日における設定時刻に到達したか否かを判定し、
前記制御実行手段は、前記時刻判定手段によって設定曜日における設定時刻に到達したと判定された場合に、前記条件記憶手段から前記設定曜日及び設定時刻に対応する設定角度情報を読み出して、読み出された設定角度情報に対応する向きに前記モニタを回動させるべく前記駆動モータを制御することを特徴とする請求項１又は請求項２に記載の放送受信装置。
【請求項４】
前記条件記憶手段は、前記モニタに表示する映像の明度を示す設定明度情報を、前記設定曜日情報及び設定時刻情報と対応付けて格納し、
前記条件設定手段は、前記モニタの明度を前記設定曜日及び設定時刻と対応付けて設定すると共に、設定された明度に対応する設定明度情報を前記設定曜日情報及び設定時刻情報と対応付けて前記条件記憶手段に記録し、
前記制御実行手段は、前記時刻判定手段によって設定曜日における設定時刻に到達したと判定された場合に、前記条件記憶手段から前記設定曜日及び設定時刻に対応する設定明度情報を読み出して、読み出された設定明度情報に対応する明度に前記モニタを制御することを特徴とする請求項３に記載の放送受信装置。
【請求項５】
前記モニタは、テレビジョン放送を介して受信された音声情報を出力するスピーカと一体として回動可能に構成され、
前記条件記憶手段は、前記スピーカに出力する音声の大きさを示す設定音量情報を、前記設定曜日情報及び設定時刻情報と対応付けて格納し、
前記条件設定手段は、前記スピーカに出力する音声の大きさを前記設定曜日及び設定時刻と対応付けて設定すると共に、設定された音声の大きさに対応する設定音量情報を前記設定曜日情報及び設定時刻情報と対応付けて前記条件記憶手段に記録し、
前記制御実行手段は、前記時刻判定手段によって設定曜日における設定時刻に到達したと判定された場合に、前記条件記憶手段から前記設定曜日及び設定時刻に対応する設定音量情報を読み出して、読み出された設定音量情報に対応する音声の大きさに前記スピーカを制御することを特徴とする請求項３又は請求項４に記載の放送受信装置。
【発明の詳細な説明】
【技術分野】
【０００１】
本発明は、少なくとも１の軸を中心として駆動モータを介して回動自在に構成されたモニタと通信可能に接続され、テレビジョン放送を受信して、受信した映像情報を外部から視認可能に前記モニタに出力する放送受信装置に関する。特に、予め設定された上下方向の軸を中心として駆動モータを介して回動可能に構成されたモニタ及びスピーカと通信可能に接続され、テレビジョン放送を受信して、受信した映像情報を外部から視認可能に前記モニタに出力すると共に、受信した音声情報を前記スピーカに出力する放送受信装置に関する。
【背景技術】
【０００２】
従来、駆動モータを介して回動自在に構成されたモニタと通信可能に接続され、テレビジョン放送を受信して、受信した映像情報を外部から視認可能にモニタに出力する放送受信装置において、ユーザが所望する向きにモニタを回動させるための種々の装置、方法等が提案されている。
【０００３】
例えば、赤外線を介してユーザの体温を検出し、検出した体温に基づいてモニタをユーザ側に回動させる映像表示機器が開示されている（特許文献１参照）。
【特許文献１】特開２０００−１７５１２９号公報
【発明の開示】
【発明が解決しようとする課題】
【０００４】
しかしながら、上記映像表示機器においては、ユーザの体温を検出するセンサを配設する必要があるため、製造コストが増大する要因となる。また、センサによって検出された温度がユーザの体温であるか否かを判定することは容易ではないため、ユーザの体温ではない温度（例えば、犬、猫等のペットの体温、又は、暖房機器の温度等）をユーザの体温であると誤検出して、ユーザの所望しない向きに調整される場合があった。
【０００５】
本発明は、上記課題に鑑みてなされたものであって、ユーザの所望するモニタの向き等の条件に簡素な構成で制御することの可能な放送受信装置を提供することを目的としている。
【課題を解決するための手段】
【０００６】
上記目的を達成するために請求項１に記載の放送受信装置は、少なくとも１の軸を中心として駆動モータを介して回動自在に構成されたモニタと通信可能に接続され、テレビジョン放送を受信して、受信した映像情報を外部から視認可能に前記モニタに出力する放送受信装置であって、前記モニタの向きを示す情報である設定角度情報を、前記モニタの向きを調整する時刻である設定時刻情報と対応付けて格納する条件記憶手段と、外部からの操作入力を受け付けて、受け付けられた操作入力に基づいて前記モニタの向きを前記設定時刻と対応付けて設定すると共に、設定された向きに対応する設定角度情報を前記設定時刻情報と対応付けて前記条件記憶手段に記録する条件設定手段と、前記条件記憶手段に格納された設定時刻に到達したか否かを判定する時刻判定手段と、前記時刻判定手段によって設定時刻に到達したと判定された場合に、前記条件記憶手段から前記設定時刻に対応する設定角度情報を読み出して、読み出された設定角度情報に対応する向きに前記モニタを回動させるべく前記駆動モータを制御する制御実行手段と、を備えることを特徴としている。
【０００７】
請求項２に記載の放送受信装置は、請求項１に記載の放送受信装置であって、前記モニタが、予め設定された上下方向の軸を中心として回動可能に構成されたものであって、前記設定角度情報が、予め設定された基準位置から前記上下方向の軸を中心として回動される角度であることを特徴としている。
【０００８】
請求項３に記載の放送受信装置は、請求項１又は請求項２に記載の放送受信装置であって、前記条件記憶手段が、前記設定角度情報を、前記モニタの向きを調整する曜日である設定曜日情報及び設定時刻と対応付けて格納し、前記条件設定手段が、前記モニタの向きを前記設定曜日及び設定時刻と対応付けて設定すると共に、設定された向きに対応する設定角度情報を前記設定曜日情報及び設定時刻情報と対応付けて前記条件記憶手段に記録し、前記時刻判定手段が、前記条件記憶手段に格納された設定曜日における設定時刻に到達したか否かを判定し、前記制御実行手段が、前記時刻判定手段によって設定曜日における設定時刻に到達したと判定された場合に、前記条件記憶手段から前記設定曜日及び設定時刻に対応する設定角度情報を読み出して、読み出された設定角度情報に対応する向きに前記モニタを回動させるべく前記駆動モータを制御することを特徴としている。
【０００９】
請求項４に記載の放送受信装置は、請求項３に記載の放送受信装置であって、前記条件記憶手段が、前記モニタに表示する映像の明度を示す設定明度情報を、前記設定曜日情報及び設定時刻情報と対応付けて格納し、前記条件設定手段が、前記モニタの明度を前記設定曜日及び設定時刻と対応付けて設定すると共に、設定された明度に対応する設定明度情報を前記設定曜日情報及び設定時刻情報と対応付けて前記条件記憶手段に記録し、前記制御実行手段が、前記時刻判定手段によって設定曜日における設定時刻に到達したと判定された場合に、前記条件記憶手段から前記設定曜日及び設定時刻に対応する設定明度情報を読み出して、読み出された設定明度情報に対応する明度に前記モニタを制御することを特徴としている。
【００１０】
請求項５に記載の放送受信装置は、請求項３又は請求項４に記載の放送受信装置であって、前記モニタが、テレビジョン放送を介して受信された音声情報を出力するスピーカと一体として回動可能に構成され、前記条件記憶手段が、前記スピーカに出力する音声の大きさを示す設定音量情報を、前記設定曜日情報及び設定時刻情報と対応付けて格納し、前記条件設定手段は、前記スピーカに出力する音声の大きさを前記設定曜日及び設定時刻と対応付けて設定すると共に、設定された音声の大きさに対応する設定音量情報を前記設定曜日情報及び設定時刻情報と対応付けて前記条件記憶手段に記録し、前記制御実行手段が、前記時刻判定手段によって設定曜日における設定時刻に到達したと判定された場合に、前記条件記憶手段から前記設定曜日及び設定時刻に対応する設定音量情報を読み出して、読み出された設定音量情報に対応する音声の大きさに前記スピーカを制御することを特徴としている。
【発明の効果】
【００１１】
請求項１に記載の放送受信装置によれば、外部からの操作入力が受け付けられて、受け付けられた操作入力に基づいてモニタの向きが、モニタの向きを調整する時刻である設定時刻と対応付けて設定されると共に、設定された向きに対応する設定角度情報が設定時刻情報と対応付けて条件記憶手段に記録される。そして、条件記憶手段に格納された設定時刻に到達したか否かが判定され、設定時刻に到達したと判定された場合に、条件記憶手段から設定時刻に対応する設定角度情報が読み出されて、読み出された設定角度情報に対応する向きにモニタを回動させるべく駆動モータが制御されるため、ユーザの所望するモニタの向きに簡素な構成で制御することができる。
【００１２】
すなわち、モニタの向きを調整する時刻である設定時刻に到達したと判定された場合に、条件記憶手段から設定時刻に対応する設定角度情報が読み出されて、読み出された設定角度情報に対応する向きにモニタを回動させるべく駆動モータが制御されるため、ユーザが所望する時刻及び向きを、設定時刻及び設定角度として設定することによって、ユーザの所望するモニタの向きに簡素な構成で制御することができるのである。
【００１３】
請求項２に記載の放送受信装置によれば、モニタが予め設定された上下方向の軸を中心として回動可能に構成されたものであって、設定角度情報が、予め設定された基準位置から上下方向の軸を中心として回動される角度であるため、ユーザの所望するモニタの向きに更に簡素な構成で制御することができる。
【００１４】
請求項３に記載の放送受信装置によれば、モニタの向きが、モニタの向きを調整する曜日である設定曜日及び設定時刻と対応付けて設定されると共に、設定された向きに対応する設定角度情報が設定曜日情報及び設定時刻情報と対応付けて条件記憶手段に記録される。そして、条件記憶手段に格納された設定曜日における設定時刻に到達したか否かが判定され、設定曜日における設定時刻に到達したと判定された場合に、条件記憶手段から設定曜日及び設定時刻に対応する設定角度情報が読み出されて、読み出された設定角度情報に対応する向きにモニタを回動させるべく駆動モータが制御されるため、利便性良好にユーザの所望するモニタの向きに制御することができる。
【００１５】
すなわち、モニタの向きを調整する曜日である設定曜日におけるモニタの向きを調整する時刻である設定時刻に到達したと判定された場合に、条件記憶手段から設定曜日及び設定時刻に対応する設定角度情報が読み出されて、読み出された設定角度情報に対応する向きにモニタを回動させるべく駆動モータが制御されるため、例えば、ユーザのライフサイクルに応じて、ユーザが所望する曜日、時刻及び向きを、設定曜日、設定時刻及び設定角度として設定することによって、利便性良好にユーザの所望するモニタの向きに制御することができるのである。
【００１６】
請求項４に記載の放送受信装置によれば、モニタの明度が設定曜日及び設定時刻と対応付けて設定されると共に、設定された明度に対応する設定明度情報が設定曜日情報及び設定時刻情報と対応付けて条件記憶手段に記録される。そして、設定曜日における設定時刻に到達したと判定された場合に、条件記憶手段から設定曜日及び設定時刻に対応する設定明度情報が読み出されて、読み出された設定明度情報に対応する明度にモニタが制御されるため、ユーザの所望するモニタの明度に簡素な構成で制御することができる。
【００１７】
すなわち、設定曜日における設定時刻に到達したと判定された場合に、条件記憶手段から設定曜日及び設定時刻に対応する設定明度情報が読み出されて、読み出された設定明度情報に対応する明度にモニタが制御されるため、例えば、ユーザのライフサイクルに応じて、ユーザが所望する曜日、時刻及び明度を、設定曜日、設定時刻及び設定明度として設定することによって、ユーザの所望するモニタの明度に簡素な構成で制御することができる。
【００１８】
請求項５に記載の放送受信装置によれば、モニタが、テレビジョン放送を介して受信された音声情報を出力するスピーカと一体として回動可能に構成され、スピーカに出力する音声の大きさが設定曜日及び設定時刻と対応付けて設定され、設定された音声の大きさに対応する設定音量情報が設定曜日情報及び設定時刻情報と対応付けて条件記憶手段に記録される。そして、時刻判定手段によって設定曜日における設定時刻に到達したと判定された場合に、条件記憶手段から設定曜日及び設定時刻に対応する設定音量情報が読み出されて、読み出された設定音量情報に対応する音声の大きさにスピーカが制御されるため、ユーザの所望するスピーカの音声の大きさに簡素な構成で制御することができる。
【００１９】
すなわち、設定曜日における設定時刻に到達したと判定された場合に、条件記憶手段から設定曜日及び設定時刻に対応する設定音量情報が読み出されて、読み出された設定音量情報に対応する音声の大きさにスピーカが制御されるため、例えば、ユーザのライフサイクルに応じて、ユーザが所望する曜日、時刻及び音声の大きさを、設定曜日、設定時刻及び設定音量として設定することによって、ユーザの所望するスピーカの音声の大きさに簡素な構成で制御することができるのである。
【発明を実施するための最良の形態】
【００２０】
以下に本発明の実施形態を、図面を参照しながら説明する。図１は、本発明に係るデジタル放送受信機の構成の一例を示す構成図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されると共に、出力装置３に映像情報、音声情報等を出力可能に接続されている。
【００２１】
デジタル放送受信機１は、リモコン２を介してユーザからの操作入力を受け付けて、受け付けた操作入力に基づいて、デジタル方式のテレビジョン放送を受信して、受信された映像情報及び音声情報を出力装置３に対して出力するものである。
【００２２】
リモコン２（条件設定手段の一部に相当する）は、ユーザからの操作入力を受け付けて、受け付けられた操作入力に対応する赤外線信号を生成して、デジタル放送受信機１に対して出力するものである。
【００２３】
出力装置３は、ディスプレイ３１及びスピーカ３２を備え、デジタル放送受信機１から入力された音声情報及び映像情報にそれぞれ対応する音声及び映像を出力するものである。ディスプレイ３１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、デジタル放送受信機１から入力された映像情報に対応する映像を外部から視認可能に表示するものである。スピーカ３２は、デジタル放送受信機１から入力された音声情報に対応する音声を出力するものである。
【００２４】
また、デジタル放送受信機１は、ＭＰＵ１１、ＲＡＭ１２、ＲＯＭ１３、操作部１４、受信部１５、音声出力部１６、ＭＰＥＧ２デコード部１７、及び、画像出力部１８を備えている。
【００２５】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２６】
操作部１４は、ディスプレイ３１の向きの調整操作、電源のＯＮ、ＯＦＦ操作、選局、各種設定等の各種操作を受け付けるものである。また、操作部１４は、赤外線通信を介して、リモコン２からの操作信号を受け付けて、各種操作を受け付けるものである。受信部１５は、デジタル方式のテレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２７】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２８】
音声出力部１６は、受信部１５によって受信されたテレビジョン放送に対応する音声信号をスピーカ３２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ３２に対して出力するものである。
【００２９】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３０】
画像出力部１８は、ＭＰＥＧ２デコード部１７によって復号化された映像信号をディスプレイ３１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ３１に対して出力するものである。
【００３１】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３２】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ３２から音声が出力される。
【００３３】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ３１に映像が表示される。
【００３４】
図２は、図１に示す出力装置３の構成の一例を示す構成図である。（ａ）は、出力装置３の側面断面図である。出力装置３は、図１に示すディスプレイ３１及びスピーカ３２に加えて、台座３３を備えている。台座３３は、ディスプレイ３１及びスピーカ３２が係止されて支持すると共に、ディスプレイ３１を上下方向の軸を中心として回動するものである。
【００３５】
台座３３は、支持部材３３１、回転部材３３２、ベアリング３３３、固定部材３３４、ギア部材３３５、及び、駆動モータ３３６を備えている。支持部材３３１は、上端がディスプレイ３１及びスピーカ３２に係止され、下端が回転部材３３２に係止された柱状の部材であって、ディスプレイ３１及びスピーカ３２を支持するものである。回転部材３３２は、ベアリング３３３を介して固定部材３３４に回転自在に係合されると共に、ギア部材３３５を介して駆動モータ３３６によって回転駆動される円板状の部材であって、支持部材３３１を回転自在に支持するものである。また、回転部材３３２には、回転角を予め設定された所定の範囲（例えば、−１５度〜＋１５度）に規制する図略の規制部材が形成されている。図略の規制部材は、例えば、固定部材３３４に形成された図略の凸部と当接することによって回転角を規制するものである。
【００３６】
ベアリング３３３は、回転部材３３２と固定部材３３４との間に介設され、回転部材３３２を回転自在に支持するものである。固定部材３３４は、床面等に載置され、ベアリング３３３を介して回転部材３３２を支持するものである。ギア部材３３５は、一方端が回転部材３３２に係止され、他方端が駆動モータ３３６の駆動軸に係止されたものであって、駆動モータ３３６の駆動力を回転部材３３２に伝達し、回転部材３３２を回転駆動するものである。駆動モータ３３６は、図１に示すＭＰＵ１１（図３を用いて後述する制御実行部１１３）からの指示に従って、ギア部材３３５を介して回転部材３３２を回転駆動するものである。
【００３７】
図２（ｂ）は、回転部材３３２の端部近傍の詳細図である。回転部材３３２の下面端部には、線状の溝３３２ａが略等間隔で形成されており、固定部材３３４の上面には、溝３３２ａと対向する位置にフォトセンサ３３７が配設されている。フォトセンサ３３７（制御実行手段の一部に相当する）は、溝３３２ａの通過個数を検出することによって、回転部材３３２の回転角を検出するものであって、検出した回転部材３３２の回転角をＭＰＵ１１へ出力するものである。
【００３８】
ここで、台座３３の回転動作について説明する。ＭＰＵ１１からの指示に従って駆動モータ３３６が駆動され、ギア部材３３５を介して回転部材３３２、支持部材３３１、ディスプレイ３１及びスピーカ３２が一体となって回転される。そして、回転部材３３２の回転角がフォトセンサ３３７によって検出され、検出された回転角に基づいて、ＭＰＵ１１は、所定のタイミング（＝検出された回転角が設定された回転角となったタイミング）で駆動モータ３３６を停止するものである。
【００３９】
図３は、本発明に係るデジタル放送受信機１における主要部の機能構成の一例を示すブロック図である。デジタル放送受信機１のＭＰＵ１１は、機能的に、条件設定部１１１、時刻判定部１１２、及び、制御実行部１１３を備え、ＲＡＭ１２は、機能的に、条件記憶部１２１を備えている。
【００４０】
ここでは、ＭＰＵ１１が、図１に示すＲＯＭ１３等に予め格納された制御プログラムを読み出して実行することにより、条件設定部１１１、時刻判定部１１２、制御実行部１１３等の機能部として機能すると共に、ＲＡＭ１２を、条件記憶部１２１等の機能部として機能させるものである。
【００４１】
また、図１に示すＲＡＭ１２、ＲＯＭ１３等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４２】
条件記憶部１２１（条件記憶手段に相当する）は、ディスプレイ３１の向きを示す情報である設定角度情報、ディスプレイ３１に表示する映像の明度を示す設定明度情報、及び、スピーカ３２に出力する音声の大きさを示す設定音量情報を、ディスプレイ３１の向きを調整する曜日である設定曜日情報、及び、ディスプレイ３１の向きを調整する時刻である設定時刻情報と対応付けて格納するものである。
【００４３】
条件設定部１１１（条件設定手段の一部に相当する）は、リモコン２を介してユーザからの操作入力を受け付けて、受け付けられた操作入力に基づいてディスプレイ３１の向き、ディスプレイ３１に表示する映像の明度、及び、スピーカ３２に出力する音声の大きさを設定曜日及び設定時刻と対応付けて設定するものである。また、条件設定部１１１は、設定された向きに対応する設定角度情報、設定された映像の明度に対応する設定明度情報、及び、設定された音声の大きさに対応する設定音量情報を、設定曜日情報及び設定時刻情報と対応付けて条件記憶部１２１に記録する（＝書き込む）ものである。
【００４４】
時刻判定部１１２（時刻判定手段に相当する）は、計時機能を備え、条件記憶部１２１に格納された設定曜日における設定時刻に到達したか否かを判定するものである。
【００４５】
制御実行部１１３（制御実行手段の一部に相当する）は、時刻判定部１１２によって設定曜日における設定時刻に到達したと判定された場合に、条件記憶部１２１から設定曜日及び設定時刻に対応する設定角度情報を読み出して、読み出された設定角度情報に対応する向きにディスプレイ３１を回動させるべく、フォトセンサ３３７を介して駆動モータ３３６を制御するものである。
【００４６】
また、制御実行部１１３は、時刻判定部１１２によって設定曜日における設定時刻に到達したと判定された場合に、条件記憶部１２１から設定曜日及び設定時刻に対応する設定明度情報を読み出して、読み出された設定明度情報に対応する明度にディスプレイ３１を制御するものである。
【００４７】
更に、制御実行部１１３は、時刻判定部１１２によって設定曜日における設定時刻に到達したと判定された場合に、条件記憶部１２１から設定曜日及び設定時刻に対応する設定音量情報を読み出して、読み出された設定音量情報に対応する音声の大きさにスピーカ３２を制御するものである。
【００４８】
図４は、デジタル放送受信機１（主にＭＰＵ１１）の動作の一例を示すフローチャートである。ここでは、便宜上、条件設定部１１１によって予め設定角度、設定明度及び設定音量が、設定曜日及び設定時刻に対応付けて設定され、条件記憶部１２１に格納されている場合について説明する。まず、時刻判定部１１２によって、条件記憶部１２１に格納された設定曜日であるか否かの判定が行われる（Ｓ１０１）。設定曜日ではないと判定された場合（Ｓ１０１でＮＯ）には、処理が待機状態とされる。設定曜日であると判定された場合（Ｓ１０１でＹＥＳ）には、時刻判定部１１２によって、条件記憶部１２１に格納された設定時刻に到達したか否かの判定が行われる（Ｓ１０３）。
【００４９】
設定時刻に到達していないと判定された場合（Ｓ１０３でＮＯ）には、処理が待機状態とされる。設定時刻に到達したと判定された場合（Ｓ１０３でＹＥＳ）には、制御実行部１１３によって、条件記憶部１２１に格納された設定角度情報が読み出される（Ｓ１０５）。そして、制御実行部１１３によって、ステップＳ１０５において読み出された設定角度情報に対応する向きにディスプレイ３１を回動させるべく駆動モータ３３６が制御される（Ｓ１０７）。
【００５０】
次いで、制御実行部１１３によって、条件記憶部１２１に格納された設定明度情報が読み出される（Ｓ１０９）。そして、制御実行部１１３によって、ステップＳ１０９において読み出された設定明度情報に対応する明度にディスプレイ３１が制御される（Ｓ１１１）。次に、制御実行部１１３によって、条件記憶部１２１に格納された設定音量情報が読み出される（Ｓ１１３）。そして、制御実行部１１３によって、ステップＳ１１１において読み出された設定音量情報に対応する音声の大きさにスピーカ３２が制御され（Ｓ１１５）、処理が終了される。
【００５１】
図５は、条件設定部１１１によって設定角度等を設定する場合にディスプレイ３１に表示される設定画面の一例を示す画面図である。（ａ）は、設定曜日及び設定時刻を設定する場合にディスプレイ３１に表示される第１設定画面４００の画面図であり、（ｂ）は、設定角度、設定音量及び設定明度を設定する場合にディスプレイ３１に表示される第２設定画面４１０の画面図である。
【００５２】
（ａ）に示すように、第１設定画面４００には、上から順に、曜日表示部４０１、及び、時刻表示部４０２が表示されている。曜日表示部４０１は、リモコン２からの操作入力に基づいて日曜日〜土曜日の中から、曜日を選択可能に表示するものである。時刻表示部４０２は、リモコン２からの操作入力に基づいて、時刻を設定可能に表示するものである。ここでは、１の曜日に対して、設定時刻を複数個（例えば、１０個）だけ設定可能に構成されている。例えば、ここでは、設定曜日が月曜日に設定され、設定時刻が、９時、１３時、１８時等に設定されている。
【００５３】
（ｂ）に示すように、第２設定画面４１０には、上から順に、時刻表示部４１１、角度表示部４１２、音量表示部４１３、及び、明度表示部４１４が表示されている。時刻表示部４１１は、（ａ）に示す時刻表示部４０２を介して設定された設定時刻の中から選択された１の設定時刻を表示するものである。ここでは、設定時刻として１８時が選択されている場合について説明する。すなわち、（ｂ）に示す第２設定画面４１０は、（ａ）に示す時刻表示部４０２を介して設定された設定時刻の内、設定時刻として１８時が選択された状態で、リモコン２を介して次の設定を行う旨の操作入力（例えば、リモコン２に配設された決定キーの押下）が受け付けられた場合に表示される画面である。
【００５４】
角度表示部４１２は、ディスプレイ３１の向きを、基準位置からの回転角（ここでは、回動可能範囲である−１５度〜＋１５度の範囲の角度）として、リモコン２を介して設定可能に表示するものである。音量表示部４１３は、音声の大きさを示す数字（ここでは、０〜１０の１０段階の内いずれか１の数字）を、リモコン２を介して設定可能に表示するものである。明度表示部４１４は、映像の明度を、明るいことを示す「明」、普通の状態を示す「中」、暗いことを示す「暗」の中から、いずれか１つを、リモコン２を介して選択可能に表示するものである。
【００５５】
図６は、制御実行部１１３によるディスプレイ３１の回動動作の一例を示す説明図（平面図）である。ここでは、１８時（＝ＰＭ６時）に台所に立ったユーザＭ１の向き（＝設定角度θ１に対応する向き：例えば、θ１＝１０度）にディスプレイ３１を回動させるべく設定され、２０時（＝ＰＭ８時）に台所の右前方の位置（例えば、リビング）に居るユーザＭ１〜Ｍ３の向き（＝設定角度θ２に対応する向き：例えば、θ２＝０度）にディスプレイ３１を回動させるべく設定されている場合について説明する。
【００５６】
時刻判定部１１２によって１８時に到達したと判定された場合に、制御実行部１１３によって、フォトセンサ３３７からの検出角度が、台所に立ったユーザＭ１にとって視認性の良好な向きに対応する設定角度θ１に一致するべく駆動モータ３３６が駆動される（ここでは、時計回りに設定角度θ１（＝１０度）だけ回動される：）。そして、時刻判定部１１２によって２０時に到達したと判定された場合に、制御実行部１１３によって、フォトセンサ３３７からの検出角度が、リビングに居るユーザＭ１〜Ｍ３にとって視認性の良好な向きに対応する設定角度θ２に一致するべく駆動モータ３３６が駆動される（ここでは、時計回りに角度（θ２−θ１）（＝−１０度）だけ回動される：反時計回りに１０度だけ回動される）。
【００５７】
このようにして、リモコン２を介してユーザからの操作入力が受け付けられて、受け付けられた操作入力に基づいてディスプレイ３１の向きが、ディスプレイ３１の向きを調整する時刻である設定時刻と対応付けて設定されると共に、設定された向きに対応する設定角度情報が設定時刻情報と対応付けて条件記憶部１２１に記録される。そして、条件記憶部１２１に格納された設定時刻に到達したか否かが判定され、設定時刻に到達したと判定された場合に、条件記憶部１２１から設定時刻に対応する設定角度情報が読み出されて、読み出された設定角度情報に対応する向きにディスプレイ３１を回動させるべく駆動モータ３３６が制御されるため、ユーザの所望するディスプレイ３１の向きに簡素な構成で制御することができる。
【００５８】
すなわち、ディスプレイ３１の向きを調整する時刻である設定時刻に到達したと判定された場合に、条件記憶部１２１から設定時刻に対応する設定角度情報が読み出されて、読み出された設定角度情報に対応する向きにディスプレイ３１を回動させるべく駆動モータ３３６が制御されるため、ユーザが所望する時刻及び向きを、設定時刻及び設定角度として設定することによって、ユーザの所望するディスプレイ３１の向きに簡素な構成で制御することができるのである。
【００５９】
また、ディスプレイ３１が予め設定された上下方向の軸を中心として回動可能に構成されたものであって、設定角度情報が、予め設定された基準位置から上下方向の軸を中心として回動される角度であるため、ユーザの所望するディスプレイ３１の向きに更に簡素な構成で制御することができる。
【００６０】
更に、ディスプレイ３１の向きが、ディスプレイ３１の向きを調整する曜日である設定曜日及び設定時刻と対応付けて設定されると共に、設定された向きに対応する設定角度情報が設定曜日情報及び設定時刻情報と対応付けて条件記憶部１２１に記録される。そして、条件記憶部１２１に格納された設定曜日における設定時刻に到達したか否かが判定され、設定曜日における設定時刻に到達したと判定された場合に、条件記憶部１２１から設定曜日及び設定時刻に対応する設定角度情報が読み出されて、読み出された設定角度情報に対応する向きにディスプレイ３１を回動させるべく駆動モータ３３６が制御されるため、利便性良好にユーザの所望するディスプレイ３１の向きに制御することができる。
【００６１】
すなわち、ディスプレイ３１の向きを調整する曜日である設定曜日におけるディスプレイ３１の向きを調整する時刻である設定時刻に到達したと判定された場合に、条件記憶部１２１から設定曜日及び設定時刻に対応する設定角度情報が読み出されて、読み出された設定角度情報に対応する向きにディスプレイ３１を回動させるべく駆動モータ３３６が制御されるため、例えば、ユーザのライフサイクルに応じて、ユーザが所望する曜日、時刻及び向きを、設定曜日、設定時刻及び設定角度として設定することによって、利便性良好にユーザの所望するディスプレイ３１の向きに制御することができるのである。
【００６２】
加えて、ディスプレイ３１の明度が設定曜日及び設定時刻と対応付けて設定されると共に、設定された明度に対応する設定明度情報が設定曜日情報及び設定時刻情報と対応付けて条件記憶部１２１に記録される。そして、設定曜日における設定時刻に到達したと判定された場合に、条件記憶部１２１から設定曜日及び設定時刻に対応する設定明度情報が読み出されて、読み出された設定明度情報に対応する明度にディスプレイ３１が制御されるため、ユーザの所望するディスプレイ３１の明度に簡素な構成で制御することができる。
【００６３】
すなわち、設定曜日における設定時刻に到達したと判定された場合に、条件記憶部１２１から設定曜日及び設定時刻に対応する設定明度情報が読み出されて、読み出された設定明度情報に対応する明度にディスプレイ３１が制御されるため、例えば、ユーザのライフサイクルに応じて、ユーザが所望する曜日、時刻及び明度を、設定曜日、設定時刻及び設定明度として設定することによって、ユーザの所望するディスプレイ３１の明度に簡素な構成で制御することができる。
【００６４】
また、ディスプレイ３１が、テレビジョン放送を介して受信された音声情報を出力するスピーカ３２と一体として回動可能に構成され、スピーカ３２に出力する音声の大きさが設定曜日及び設定時刻と対応付けて設定され、設定された音声の大きさに対応する設定音量情報が設定曜日情報及び設定時刻情報と対応付けて条件記憶部１２１に記録される。そして、時刻判定部１１２によって設定曜日における設定時刻に到達したと判定された場合に、条件記憶部１２１から設定曜日及び設定時刻に対応する設定音量情報が読み出されて、読み出された設定音量情報に対応する音声の大きさにスピーカ３２が制御されるため、ユーザの所望するスピーカ３２の音声の大きさに簡素な構成で制御することができる。
【００６５】
すなわち、設定曜日における設定時刻に到達したと判定された場合に、条件記憶部１２１から設定曜日及び設定時刻に対応する設定音量情報が読み出されて、読み出された設定音量情報に対応する音声の大きさにスピーカ３２が制御されるため、例えば、ユーザのライフサイクルに応じて、ユーザが所望する曜日、時刻及び音声の大きさを、設定曜日、設定時刻及び設定音量として設定することによって、ユーザの所望するスピーカ３２の音声の大きさに簡素な構成で制御することができるのである。
【００６６】
なお、本発明は、以下の形態にも適用可能である。
（Ａ）本実施形態では、放送受信装置が、デジタル方式のテレビジョン放送を受信するデジタル放送受信機１である場合について説明したが、放送受信装置が、アナログ方式のテレビジョン放送を受信するアナログ放送受信機である形態でもよいし、デジタル方式のテレビジョン放送及びアナログ方式のテレビジョン放送を受信する放送受信機である形態でもよい。
【００６７】
（Ｂ）本実施形態では、ディスプレイ３１が上下方向の軸を中心として回動可能に構成されている場合について説明したが、ディスプレイ３１が少なくとも１の軸を中心として駆動モータを介して回動自在に構成されている形態であればよい。例えば、ディスプレイ３１が左右方向の軸を中心として回動可能に構成されている形態でもよい。また、ディスプレイ３１が上下方向の軸を中心として回動可能に構成され、且つ、左右方向の軸を中心として回動可能に構成されている形態でもよい。
【００６８】
（Ｃ）本実施形態では、ＭＰＵ１１が、条件設定部１１１、時刻判定部１１２、制御実行部１１３等の機能部として機能する場合について説明したが、条件設定部１１１、時刻判定部１１２、及び、制御実行部１１３の内、少なくとも１の機能部が、回路等のハードウェアによって構成されている形態でもよい。
【００６９】
（Ｄ）本実施形態では、制御実行部１１３が、時刻判定部１１２によって設定曜日における設定時刻に到達したと判定された場合に、ディスプレイ３１を回動させる場合について説明したが、制御実行部１１３が、時刻判定部１１２によって設定曜日における設定時刻に到達したと判定された場合に、ディスプレイ３１にディスプレイ３１を回動させるか否かの表示を行い、リモコン２を介して回動させる旨の操作入力が受け付けられた場合に、ディスプレイ３１を回動させる形態でもよい。この場合には、更に利便性を向上することができる。
【図面の簡単な説明】
【００７０】
【図１】は、本発明に係るデジタル放送受信機の構成の一例を示す構成図である。
【図２】は、図１に示す出力装置の構成の一例を示す構成図である。
【図３】は、本発明に係るデジタル放送受信機における主要部の機能構成の一例を示すブロック図である。
【図４】は、デジタル放送受信機（主にＭＰＵ）の動作の一例を示すフローチャートである。
【図５】は、条件設定部によって設定角度等を設定する場合にディスプレイに表示される設定画面の一例を示す画面図である。
【図６】は、制御実行部によるディスプレイの回動動作の一例を示す説明図（平面図）である。
【符号の説明】
【００７１】
１    デジタル放送受信機
１１    ＭＰＵ
１１１    条件設定部（条件設定手段の一部）
１１２    時刻判定部（時刻判定手段）
１１３    制御実行部（制御実行手段の一部）
１２    ＲＡＭ
１２１    条件記憶部
１５    受信部
２    リモコン（条件設定手段の一部）
３    出力装置
３１    ディスプレイ（モニタ）
３３    台座
３３６    駆動モータ
３３７    フォトセンサ（制御実行手段の一部）
【図１】
2008278281.tif 000003
【図２】
2008278281.tif 000004
【図３】
2008278281.tif 000005
【図４】
2008278281.tif 000006
【図５】
2008278281.tif 000007
【図６】
2008278281.tif 000008